(57)【要約】【課題】少ない種類の調光用インク、少ない印刷工数で表示部の輝度を調整することが可能な照明装置を提供する。【解決手段】基板７１に印刷を施して地色層（地色部）７４と第２，第３の意匠部（第１，第２の表示部）７７，７８とを設けてなる表示板７と、この表示板７の背後で各意匠部７７，７８に対応した位置に配置される第３，第４の発光ダイオード（第１，第２の光源）５３，５４とを備え、第１，第２の発光ダイオード５３，５４の点灯により第２，第３の意匠部７７，７８を発光させる照明装置において、第２の意匠部７７と第３の意匠部７８の各々に対応する領域には、同一のインクを用いて透過率が第２の意匠部７７と第３の意匠部７８とで異なるように調整するドット層からなる第１の調光層７２１と第２の調光層７２２とを設けた【選択図】図１
2011196976.tif 000002
【特許請求の範囲】
【請求項１】
基板に印刷を施して地色部とこの地色部内で所定の透光性意匠を形成するよう互いに離間形成される第１の表示部及び第２の表示部とを設けてなる表示板と、この表示板の背後で前記各表示部に対応した位置に配置される第１の光源及び第２の光源とを備え、前記第１，第２の光源の点灯により前記第１，第２の表示部を発光させる照明装置において、前記第１の表示部と前記第２の表示部の各々に対応する領域には、同一のインクを用いて透過率が前記第１の表示部と前記第２の表示部とで異なるように調整するドット層からなる第１の調光層と第２の調光層とを設けたことを特徴とする照明装置。
【請求項２】
前記ドット層が遮光性もしくは光吸収性のインクを用いて形成されていることを特徴とする請求項１記載の照明装置。
【発明の詳細な説明】
【技術分野】
【０００１】
本発明は、例えば自動車やオートバイに搭載され、表示板に形成された複数の表示部を対応する個々の光源の点灯により発光表示する照明装置に関する。
【背景技術】
【０００２】
この種の照明装置として例えば下記特許文献１に記載されたものが知られている。この照明装置は、回路基板と、この回路基板に搭載された光源と、この光源に対応する位置に透光性の表示部を備えた表示板とを有しており、光源の点灯により透光性の表示部を発光表示させるものである。
【０００３】
そして表示板は、透光性の基板と、この基板の背面側に形成された遮光層と、この遮光層の一部をインジケータマークの形状に抜き形成してなる表示部と、この表示部に対応した抜き部を有して基板の前面に形成された遮光性を有する地色層と、抜き部を覆うように基板の前面側に形成される光吸収性層（スモーク層）とを備えており、光源の消灯時は、光吸収性層の作用により表示部が殆ど見えなくなっている。
【先行技術文献】
【特許文献】
【０００４】
【特許文献１】特開２００６−０８２２７５号公報（図３）
【発明の概要】
【発明が解決しようとする課題】
【０００５】
ところで特許文献１に記載の照明装置にあっては、板面が傾斜や段差を有するように絞り成形した表示板を用いることがあり、例えば視線方向に対して前後に段差を有する複数の板面の各々に表示部を設ける場合は、光源と表示部との距離が表示部の形成位置に応じて異なるため、表示部の発光輝度のバラツキを抑えるため、光源と表示部との距離に応じて光吸収性層の積層数を変化させたり、透過率の異なる光吸収性インクを用いたりして、透過光の強度を調整する手法が用いられていた。しかしながらこれらの手法は、光吸収性層を印刷するにあたり複数の印刷工程を要するため、コスト上昇を招いていた。
【０００６】
そこで、本発明は前述した問題点に着目し、少ない種類の調光用インク、少ない印刷工数で表示部の輝度を調整することが可能な照明装置を提供することを目的とする。
【課題を解決するための手段】
【０００７】
本発明は、基板に印刷を施して地色部とこの地色部内で所定の透光性意匠を形成するよう互いに離間形成される第１の表示部及び第２の表示部とを設けてなる表示板と、この表示板の背後で前記各表示部に対応した位置に配置される第１の光源及び第２の光源とを備え、前記第１，第２の光源の点灯により前記第１，第２の表示部を発光させる照明装置において、前記第１の表示部と前記第２の表示部の各々に対応する領域には、同一のインクを用いて透過率が前記第１の表示部と前記第２の表示部とで異なるように調整するドット層からなる第１の調光層と第２の調光層とを設けたことを特徴とする。
このように構成することにより、少ない種類の調光用インク、少ない印刷工数で表示部の輝度を調整することがきるため、コストダウンを達成することができる。
【０００８】
また本発明は、前記ドット層が遮光性もしくは光吸収性のインクを用いて形成されていることを特徴とする。
【発明の効果】
【０００９】
本発明によれば、少ない種類の調光用インク、少ない印刷工数で表示部の輝度を調整することが可能な照明装置を提供することができる。
【図面の簡単な説明】
【００１０】
【図１】本発明の一実施形態による照明装置の正面図。
【図２】図１のＡ−Ａ断面図（ハッチング省略）。
【図３】図１のＢ−Ｂ断面図（ハッチング省略）。
【図４】図２のＰ１箇所を拡大して示す断面図。
【図５】図３のＰ２箇所を拡大して示す断面図。
【図６】本発明の他の実施形態を示す拡大断面図。
【発明を実施するための形態】
【００１１】
本発明の一実施形態による照明装置は、例えば車両用計器からなるものであり、遮光性合成樹脂からなる背面カバー１と、透明合成樹脂からなる前面カバー２との間に、回路基板３と指針式計器４と発光ダイオード５とフレーム６と表示板７とでなる表示ユニットＵを配置してなる。
【００１２】
回路基板３は、例えば紙フェノールやエポキシ樹脂からなる硬質の配線基板であり、指針式計器の後述する駆動本体や発光ダイオード５を実装してなる。
【００１３】
指針式計器４は、駆動本体４１と、指針４２とでなり、駆動本体４１はその指針軸４３が回路基板３を貫通するように本体部が回路基板３の背面に取り付けられ、また指針４２は指針軸４３と連結され、表示板７の前面に沿って延びている。なお指針４２は少なくともその指示部が透光材で形成され、発光ダイオード（後述する第１の発光ダイオード）５からの光を受けて発光するようになっている。
【００１４】
またこのように形成される指針式計器４は、２つ組み込まれ、表示板７と組み合わされて図１中、左側に位置する速度計と右側に位置する燃料計を構成する。
【００１５】
発光ダイオード５は、指針４２を発光させる第１の発光ダイオード５１と、表示板７の後述する第１の意匠部を発光させる第２の発光ダイオード５２と、表示板７の後述する第２の意匠部を発光させる第３の発光ダイオード（第１の光源）５３（図２参照）と、表示板７の後述する第３の意匠部を発光させる第４の発光ダイオード（第２の光源）５４（図３参照）とで構成されている。
【００１６】
フレーム６は、例えば乳白色の合成樹脂からなり、回路基板３と表示板７とを結合すると共に、各発光ダイオード５１〜５４の光を指針４２や前記第１の意匠部〜第３の意匠部に導く機能も有しており、特に前記第２，第３の意匠部に対応する箇所には、第３，第４の発光ダイオード５３，５４を収納する照明室６１を有している。
【００１７】
表示板７は、図４、図５に示すように、基板７１と、この基板７１の背面に形成された遮光層７２と、基板７１の前面に形成された着色層７３と、この着色層７３の前面に形成された地色層７４と、この地色層（地色部）７４と着色層７３とを覆う保護層７５とで構成されている。
【００１８】
基板７１は、例えば無色透明な合成樹脂のシート材からなり、このシート材は、遮光層７２と、着色層７３と、地色層７４と、保護層７５とを形成した後に後述する立体形状となるよう絞り成形される。
【００１９】
遮光層７２は、例えばスクリーン印刷によりベタ塗り形成された遮光性を有する黒色インク層からなり、その一部は後述する意匠部に対応した形に部分的に抜き形成され第１の透光部２１を形成すると共に、第１の透光部２１内に複数のドット層からなる第１，第２の調光層７２１，７２２を形成している。第１，第２の調光層７２１，７２２のうち、第１の調光層７２１は、後述する第２の意匠部を透過する第３の発光ダイオード５３の光の透過率を調整するもので、第２の調光層７２２は、後述する第３の意匠部を透過する第４の発光ダイオード５４の光の透過率を調整するもので、ドット層からなる第１，第２の調光層７２１，７２２とベタ塗り層からなる遮光層７２とは、同一のインクを用いて同一工程にて印刷形成されている。
【００２０】
着色層７３は、例えばスクリーン印刷によりベタ塗り形成された透光性を有する乳白色層からなり、基板７１の全面を覆っている。
【００２１】
地色層７４は、表示板７の地色（背景色）を決めるもので、例えば図１中、左側に位置する速度計対応の第１の領域Ｒ１と図１中、右側に位置する燃料計対応の第２の領域Ｒ２は黒色、これら領域外となる第３の領域Ｒ３は大理石模様（石目模様）に設定されている。
【００２２】
この場合、第１，第２の領域Ｒ１，Ｒ２と、第３の領域Ｒ３は、異なるインクにより印刷形成され、第１，第２の領域Ｒ１，Ｒ２は、例えばスクリーン印刷によりベタ塗り形成された遮光性を有する黒色インクよりなる地色層７４でなり、第３の領域Ｒ３は、例えばＹ，Ｍ，Ｃ，Ｋ（イエロー，マゼンダ，シアン，ブラック）からなる４色の独立した基本色ドット層を完全もしくは部分的に積層することにより大理石模様を形成する地色層７４でなり、これら４色の基本色ドット層は、スクリーン印刷、オフセット印刷、インクジェット等のデジタル印刷を用いて形成することができる。
【００２３】
そして地色層７４には、第１の透光部２１に対応した形状の第２の透光部７４１が抜き印刷により形成され、これら第１の透光部２１と第２の透光部７４１とによって第１〜第３の意匠部７６，７７，７８が形成されている。
【００２４】
第１の意匠部７６は、指針４２の指示対象となる目盛、数字、文字からなり、速度計と燃料計に応じた透光性の意匠を形成し、第２の発光ダイオード５２によって発光表示される。
【００２５】
第２の意匠部（第１の表示部）７７は、第１の領域Ｒ１内において、車両状態、例えば前照灯の光軸向きを表示するインジケータマークからなり、第３の発光ダイオード５３によって発光表示される。
【００２６】
第３の意匠部（第２の表示部）７８は、第３の領域Ｒ３内において、第２の意匠部７７とは異なる車両状態、例えばギヤポジションを表示するインジケータマークからなり、第４の発光ダイオード５４によって発光表示される。
【００２７】
このように基板７１に遮光層７２、着色層７３、地色層７４、保護層７５の各層を印刷してなる表示板７は、第２の領域Ｒ２と第３の領域Ｒ３が互いに同一平面となる平板状であるが、第１の領域Ｒ１は、平板状の第３の領域Ｒ３を基準としたときに背後側（回路基板側）に窪む凹状に絞り加工されている。これにより、第１の領域Ｒ１に位置する第２の意匠部７７と第３の発光ダイオード５３との距離Ｄ１（図２参照）は、第３の領域Ｒ３に位置する第３の意匠部７８と第４の発光ダイオード５４との距離Ｄ２（図３参照）よりも小さく、第２の意匠部７７の方が第３の意匠部７８よりも発光ダイオード５に近い構成となっている。
【００２８】
このような距離Ｄ１，Ｄ２の相違に応じて本実施形態では、第１，第２の調光層７２１，７２２を構成するドット層は、その形成密度や濃度、サイズ（被覆面積）を異ならせてあり、これにより光源５からの光の透過率が第２の意匠部７７と第３の意匠部７８とで相違するように設けられている。
【００２９】
すなわち、第１の調光層７２１は、第２の意匠部７７が（第３の意匠部７８よりも）発光ダイオード５に近い分、第２の調光層７２２よりも透過率を低くし、第２の調光層７２２は、第３の意匠部７８が（第２の意匠部７７よりも）発光ダイオード５から遠い分、第１の調光層７２１より透過率を高くし、これにより第２の意匠部７７と第３の意匠部７８の各発光輝度が見た目上、違和感がない程度に近づくように調整している。
【００３０】
以上のように、本実施形態では、基板７１に印刷を施して地色層（地色部）７４とこの地色部７４内で所定の透光性意匠を形成するよう互いに離間形成される第２の意匠部（第１の表示部）７７及び第３の意匠部（第２の表示部）７８とを設けてなる表示板７と、この表示板７の背後で各意匠部７７，７８に対応した位置に配置される第３の発光ダイオード（第１の光源）５３及び第４の発光ダイオード（第２の光源）５４とを備え、第１，第２の発光ダイオード５３，５４の点灯により第２，第３の意匠部７７，７８を発光させる照明装置において、第２の意匠部７７と第３の意匠部７８の各々に対応する領域には、同一のインクを用いて透過率が第２の意匠部７７と第３の意匠部７８とで異なるように調整するドット層からなる第１の調光層７２１と第２の調光層７２２とを設けたことにより、少ない種類の調光用インク、少ない印刷工数で第２，第３の意匠部７７，７８の輝度を調整することがきるため、コストダウンを達成することができる。
【００３１】
なお本実施形態では、前記ドット層を遮光性インクを用いて形成したが、第２，第３の意匠部７７，７８の輝度を調整することがきれば、スモーク等の光吸収性インクや任意色のインクを用いてもよい。
【００３２】
また本実施形態では、基板７１の背面に第１，第２の調光層７２１，７２２を設けたが、本発明の他の実施形態として図６に示すように、調光専用の層として基板７１の前面側に目視可能に設けたり、基板７１の両面に設けてもよい。
【００３３】
また本実施形態では、第２，第３の意匠部７７，７８と光源５との距離Ｄ１，Ｄ２に応じて前記ドット層の形成密度を異ならせたが、使用する光源５の輝度や個数に応じて透過率が異なるようにしてもよい。
【符号の説明】
【００３４】
１  背面カバー
２  前面カバー
３  回路基板
４  指針式計器
５  発光ダイオード
６  フレーム
７  表示板
２１  第１の透光部
４１  駆動本体
４２  指針
４３  指針軸
５１  第１の発光ダイオード
５２  第２の発光ダイオード
５３  第３の発光ダイオード（第１の光源）
５４  第４の発光ダイオード（第２の光源）
６１  照明室
７１  基板
７２  遮光層
７３  着色層
７４  地色層
７５  保護層
７２１，７２２  第１，第２の調光層
７６，７７，７８  第１〜第３の意匠部
Ｒ１  第１の領域
Ｒ２  第２の領域
Ｒ３  第３の領域
Ｕ  表示ユニット
【図１】
2011196976.tif 000003
【図２】
2011196976.tif 000004
【図３】
2011196976.tif 000005
【図４】
2011196976.tif 000006
【図５】
2011196976.tif 000007
【図６】
2011196976.tif 000008